(57)【特許請求の範囲】
【請求項１】
シャッタボタンの操作を受け付ける第１受付手段と、
ストロボと、
前記ストロボの発光を制御するストロボ制御手段と、
被写体の光学像を取り込み撮像信号を生成する撮像処理を実行する撮像手段と、
前記シャッタボタンの操作に応答して前記撮像処理を複数回行う連続撮像処理を実行せしめる連続撮像制御手段と、
前記連続撮像制御手段による制御によって実行された複数回の撮像処理において生成された撮像信号に基づく画像信号を記録媒体に夫々記録する記録手段とを備え、
前記ストロボ制御手段は、前記連続撮像制御手段の制御によって実行される複数回の撮像処理において、前記ストロボを発光させることなく撮像処理を実行した後の撮像処理において前記ストロボを発光させることを特徴とするカメラ。
【請求項２】
前記被写体の明るさが第１閾値を上回るか否かを判断する第１判断手段を更に備え、
前記連続撮像制御手段は、前記第１判断手段において前記被写体の明るさが前記第１閾値を上回ると判断した場合には、前記ストロボを発光させることなく撮像処理を実行した後の前記ストロボの発光を伴う撮像処理を行わないことを特徴とする請求項１に記載のカメラ。
【請求項３】
前記シャッタボタンの操作に応答して撮像処理を１回行う単撮像処理を実行せしめる単撮像制御手段と、
前記被写体の明るさが前記第１閾値よりも大きい第２閾値を上回るか否かを判断する第２判断手段とを更に備え、
前記ストロボ制御手段は、前記第２判断手段において前記被写体の明るさが前記第２閾値を上回ると判断した場合には、前記単撮像処理を実行する際に前記ストロボを発光させることを特徴とする、請求項１または請求項２に記載のカメラ。
【発明の詳細な説明】
【技術分野】
【０００１】
この発明は、カメラに関し、特にたとえばストロボを備えるカメラに関する。
【背景技術】
【０００２】
この種のカメラでは、屋内のような被写体の明るさが不十分な状況でも、スト
ロボ発光を伴う撮影によって良好な被写体像を得ることができる。このストロボ
発光撮影は、逆光によって主要被写体が暗く沈み込むときでも有効である。
【発明の開示】
【発明が解決しようとする課題】
【０００３】
しかし、逆光のような状況下では、ストロボ発光撮影およびストロボ非発光撮
影のいずれが適切であるか迷う場合がある。ここで、主要被写体が十分明るいに
も係わらずストロボ発光撮影を行った場合は、露出過多となる。一方、主要被写
体の明るさが不十分にも拘わらずストロボ非発光撮影を行った場合は、露出不足
となる。
【０００４】
それゆえに、この発明の主たる目的は、新規なカメラを提供することである。
【０００５】
この発明の他の目的は、ストロボを使用するべきかどうかを迷う状況下でも被
写体を良好に撮影することができる、カメラを提供することである。
【課題を解決するための手段】
【０００６】
第１の発明のカメラは、シャッタボタンの操作を受け付ける第１受付手段と、ストロボと、ストロボの発光を制御するストロボ制御手段と、被写体の光学像を取り込み撮像信号を生成する撮像処理を実行する撮像手段と、シャッタボタンの操作に応答して撮像処理を複数回行う連続撮像処理を実行せしめる連続撮像制御手段と、連続撮像制御手段による制御によって実行された複数回の撮像処理において生成された撮像信号に基づく画像信号を記録媒体に夫々記録する記録手段とを備え、ストロボ制御手段は、連続撮像制御手段の制御によって実行される複数回の撮像処理において、ストロボを発光させることなく撮像処理を実行した後の撮像処理においてストロボを発光させることを特徴とする。
【００１１】
この発明によれば、１回のレリーズ操作に応答して、ストロボ非発光撮影およ
びストロボ発光撮影が少なくとも１回ずつ自動的に行われるので、ストロボを使
用するべきかどうかを迷う状況下でも被写体を良好に撮影することができる。
【００１２】
この発明のその他の目的，特徴および利点は、添付図面に関連して行われる以
下の実施例の詳細な説明から一層明らかとなろう。
【図面の簡単な説明】
【００１３】
【図１】この発明の一実施例の概略構成を示すブロック図である。
【図２】図１の実施例における画面の構成を示す図解図である。
【図３】図１の実施例におけるＣＰＵの動作を示すフロー図である。
【図４】図３に続くフロー図である。
【発明を実施するための形態】
【００１４】
図１を参照して、この実施例のディジタルカメラ１０は、バッテリ１００を電
源として駆動するもので、フォーカスレンズ１２および絞り機構１４の開口部１
４ａを介して被写体の光学像が入力されるＣＣＤ（Charge Coupled Device）型
のイメージセンサ１６を有している。
【００１５】
モードキー１８の操作によって、被写体を撮影するための撮影モードが選択さ
れると、ＣＰＵ２０は、ＴＧ（Timing Generator）２２に対してプリ露光および
間引き読み出しの繰り返しを命令する。ＴＧ２２は、この命令に対応するタイミ
ング信号をイメージセンサ１６に供給し、イメージセンサ１６は、供給されたタ
イミング信号に従って、被写体の光学像を露光するとともに、当該露光によって
蓄積された電荷の一部を次の１フレーム期間に出力する。つまり、撮影モードが
選択された当初は、低解像度の生画像信号が１フレーム期間毎にイメージセンサ
１６から出力される。
【００１６】
イメージセンサ１６から出力された各フレームの生画像信号は、ＣＤＳ（Corr
elated Double Sampling）／ＡＧＣ（Automatic Gain Control）回路２４に入力
され、ここで相関二重サンプリング処理およびゲイン調整処理を施された後、Ａ
／Ｄ変換回路２６に入力される。Ａ／Ｄ変換回路２６は、入力された生画像信号
をディジタル信号である生画像データに変換し、変換後の生画像データを信号処
理回路２８に入力する。
【００１７】
信号処理回路２８は、バッファ２９を含み、このバッファ２９を利用して、入
力された生画像データに色分離，白バランス調整，ガンマ補正，ＹＵＶ変換など
の一連の処理を施し、これらの処理によって生成されたＹＵＶデータをビデオエ
ンコーダ３０に入力する。ビデオエンコーダ３０は、入力されたＹＵＶデータを
ＮＴＳＣ方式の複合画像信号に変換し、変換後の複合画像信号を液晶モニタ３２
に入力する。これによって、液晶モニタ３２の画面に、被写体のリアルタイム動
画像（スルー画像）が表示される。
【００１８】
さらに、信号処理回路２８によって生成されたＹＵＶデータのうちＹデータが
、ＡＥ（Automatic Exposure）／ＡＦ（Autofocus）評価回路３４に入力される
。ＡＥ／ＡＦ評価回路３４は、入力されたＹデータに基づいて、被写体像の輝度
の程度を表す輝度評価値Ｅy、および被写体に対するフォーカスレンズ１２の合
焦の程度を表すフォーカス評価値Ｅfを算出する。
【００１９】
具体的には、ＡＥ／ＡＦ評価回路３４は、図２に示すように被写界（画面）を
横１６列×縦１６行の２５６個のブロックに分割する。そして、各フレームにつ
いて、Ｙデータを当該ブロック毎に積分することによってブロック毎の輝度評価
値Ｅyを算出するとともに、図示しないフォーカスエリアを構成する所定のブロ
ック（たとえば被写界の中央に位置するいくつかのブロック）内におけるＹデー
タの高周波成分を積分することによってフォーカス評価値Ｅfを算出する。
【００２０】
シャッタボタン３６が半押しされると、ＣＰＵ２０は、ＡＥ／ＡＦ評価回路３
４から輝度評価値Ｅyおよびフォーカス評価値Ｅfを取り込む。そして、取り込ん
だ輝度評価値Ｅyに基づいて最適露光期間および最適絞り値を算出し、算出した
最適露光期間をＴＧ２２に設定するとともに、絞り機構１４の絞り値が当該最適
絞り値になるように絞りドライバ３８を制御する。ＣＰＵ２０はまた、フォーカ
ス評価値Ｅfが大きくなるようにフォーカスドライバ４０を制御し、フォーカス
レンズ１２を合焦位置に設定する。
【００２１】
そして、シャッタボタン３６が全押しされると、ＣＰＵ２０は、記録処理に入
る。すなわち、ＣＰＵ２０は、ＴＧ２２に対して１フレーム分の本露光および全
画素読み出しを命令するととともに、信号処理回路２８に対して圧縮処理を命令
する。ＴＧ２２は、ＣＰＵ２０からの命令に対応するタイミング信号をイメージ
センサ１６に供給する。これによって、最適露光期間に従う本露光が実行され、
当該本露光によって蓄積された全電荷、つまり１フレーム分の高解像度生画像信
号がイメージセンサ１６から出力される。この生画像信号は、ＣＤＳ／ＡＧＣ回
路２４およびＡ／Ｄ変換回路２６を介して信号処理回路２８に入力され、上述し
た一連の処理によってＹＵＶデータに変換される。信号処理回路２８はさらに、
ＣＰＵ２０からの圧縮命令に応答して当該ＹＵＶデータにＪＰＥＧ（Joint Phot
ographic Expert Group）方式に従う圧縮処理を施し、この圧縮処理によって生
成されたＪＰＥＧ画像ファイルをメモリカード４２に記録する。
【００２２】
ところで、この実施例のディジタルカメラ１０は、ストロボ４４を備えている
。モードキー１８の操作によって、たとえばストロボ４４を強制的に発光させる
強制発光モードが設定された場合、ＣＰＵ２０は、シャッタボタン３６の全押し
に応答してストロボ４４の発光を伴う記録処理に入る。すなわち、ＣＰＵ２０は
、ＴＧ２２に対して１フレーム分の本露光および全画素読み出しを命令するとと
ともに、信号処理回路２８に対して圧縮処理を命令し、さらにストロボドライバ
４６に対してトリガ信号を供給する。これによって、イメージセンサ１６の本露
光に同期してストロボ４４が発光し、このストロボ発光撮影によって生成された
被写体のＪＰＥＧ画像ファイルがメモリカード４２に記録される。
【００２３】
一方、ストロボ４４を強制的に非発光とする強制非発光モードが設定されてい
る場合には、ＣＰＵ２０は、ストロボドライバ４６に対して上述のトリガ信号を
供給しない。よって、この場合、シャッタボタン３６の全押しに応答してストロ
ボ４４の発光を伴わないストロボ非発光撮影が行われ、このストロボ非発光撮影
によって生成された被写体のＪＰＥＧ画像ファイルがメモリカード２に記録され
る。
【００２４】
また、被写体像の明るさに応じてストロボ４４を自動的に発光させ、または非
発光とする自動発光モードが設定されている場合は、ＣＰＵ２０は、上述した輝
度評価値Ｅyから当該被写体像の明るさを算出する。そして、算出した明るさが
所定の明るさに満たないとき、ＣＰＵ２０は、シャッタボタン３６の全押しに応
答してストロボ４４の発光を伴う記録処理を実行する。一方、算出した明るさが
所定の明るさ以上のときは、ＣＰＵ２０は、ストロボ４４の発光を伴わない記録
処理を実行する。
【００２５】
さらに、この実施例のディジタルカメラ１０は、シャッタボタン３６の１回の
全押し操作（レリーズ）に応答して、まずストロボ非発光撮影を行い、続いてス
トロボ発光撮影を行うという、特殊な連続撮影モードを備えている。
【００２６】
モードキー１８の操作によってこの連続撮影モードが設定された場合、ＣＰＵ
２０は、シャッタボタン３６の全押しに応答して、まず、ストロボ４４の発光を
伴わない記録処理を実行する。これによって、ストロボ非発光撮影が行われ、こ
のストロボ非発光撮影によって生成された被写体のＪＰＥＧ画像ファイルがメモ
リカード４２に記録される。
【００２７】
このストロボ非発光撮影の終了後、ＣＰＵ２０は、続いてストロボ４４の発光
を伴う記録処理を実行する。これによって、ストロボ発光撮影が行われ、このス
トロボ発光撮影によって生成された被写体のＪＰＥＧ画像ファイルがメモリカー
ド４２に記録され、当該連続撮影モードによる一連の撮影処理が完了する。
【００２８】
ただし、この連続撮影モードにおいて、ストロボ４４を発光させなくても被写
体を良好に撮影できることが明らかな状況下、換言すればストロボ４４を発光さ
せて撮影を行った場合に露出過多になることが明らかな状況下では、ストロボ発
光撮影は行われない。具体的には、上述した図２に示す各ブロックのうち最も輝
度（輝度評価値Ｅy）の低いブロックの輝度評価値Ｅyminが所定の閾値αを上回
る（Ｅymin＞α）とき、ＣＰＵ２０は、ストロボ４４の発光を伴わない記録処理
のみを実行する。つまり、ＣＰＵ２０は、ストロボ４４の発光を伴う記録処理を
実行することなく、この連続撮影モードによる一連の撮影処理を完了する。一方
、輝度評価値Ｅyminが閾値α以下（Ｅymin≦α）のときは、ＣＰＵ２０は、上述
の如くストロボ４４の発光を伴わない記録処理を実行した後、続けてストロボ４
４の発光を伴う記録処理を実行し、当該連続撮影モードによる一連の撮影処理を
完了する。
【００２９】
かかる連続撮影モードにおいて、ＣＰＵ２０は、図３および図４のフロー図で
示される手順に従って動作する。なお、これらのフロー図に従ってＣＰＵ２０の
動作を制御するための制御プログラムは、ＣＰＵ２０内のプログラムメモリ２０
ａに記憶されている。
【００３０】
図３を参照して、シャッタボタン３６が半押しされると、ＣＰＵ２０は、ステ
ップＳ１に進み、垂直同期信号Ｖsyncの入力を待つ。ここで、垂直同期信号Ｖsy
ncが入力されると、ＣＰＵ２０は、ステップＳ３に進み、ＡＥ／ＡＦ評価回路３
４から輝度評価値Ｅyを取得した後、ステップＳ５に進む。
【００３１】
ステップＳ５において、ＣＰＵ２０は、上述のステップＳ３で取得した輝度評
価値Ｅyの最小値Ｅyminを閾値αと比較する。ここで、輝度評価値Ｅyminが閾値
αを上回るとき、ＣＰＵ２０は、ステップＳ７に進み、ストロボ発光撮影を行う
か否かを指示するためのフラグＦに“０”をセットした後、ステップＳ９に進む
。一方、輝度評価値Ｅyminが閾値α以下であるとき、ＣＰＵ２０は、ステップＳ
５からステップＳ１１に進み、当該フラグＦに“１”をセットした後、ステップ
Ｓ９に進む。
【００３２】
ステップＳ９において、ＣＰＵ２０は、上述のステップＳ３で取得した輝度評
価値Ｅyに基づいて最適露光期間および最適絞り値を算出する。そして、ＣＰＵ
２０は、ステップＳ１３に進み、当該算出した最適露光期間をＴＧ２２に設定す
るとともに、絞り機構１４の絞り値が最適絞り値になるように絞りドライバ３８
を制御する。
【００３３】
ステップＳ１３の処理後、ＣＰＵ２０は、ステップＳ１５に進み、フォーカス
調整を行う。すなわち、ＣＰＵ２０は、ＡＥ／ＡＦ評価回路３４からフォーカス
評価値Ｅfを取得し、取得したフォーカス評価値Ｅfが大きくなるようにフォーカ
スドライバ４０を制御する。そして、ＣＰＵ２０は、ステップＳ１７において、
当該フォーカス調整が終了したか否か、つまりフォーカスレンズ１２が合焦位置
に設定されたか否かを判断し、フォーカス調整が未だ終了していないと判断した
場合は、ステップＳ１９に進む。
【００３４】
ステップＳ１９において、ＣＰＵ２０は、シャッタボタン３６の操作が解除さ
れたか否か、具体的にはオペレータの指がシャッタボタン３６から離されたか否
かを判断する。ここで、シャッタボタン３６の操作が解除されたと判断すると、
ＣＰＵ２０は、このフロー図で示される処理を終了（中断）する。つまり、フォ
ーカス調整が終了する前にオペレータの指がシャッタボタン３０から離された場
合には、撮影は行われない。
【００３５】
ステップＳ１９においてシャッタボタン３６の操作が解除されていない場合に
は、ＣＰＵ２０は、ステップＳ１７に戻る。そして、このステップＳ１７におい
てフォーカス調整が終了したと判断すると、ＣＰＵ２０は、図４のステップＳ２
１に進む。
【００３６】
ステップＳ２１においても、ＣＰＵ２０は、上述のステップＳ１９と同様にシ
ャッタボタン３６の操作が解除されたか否かを判断する。ここで、シャッタボタ
ン３６の操作が解除された場合、ＣＰＵ２０は、このフロー図で示される処理を
終了（中断）する。つまり、シャッタボタン３６が半押しされている状態で、オ
ペレータの指が当該シャッタボタン３０から離された場合には、撮影は行われな
い。一方、シャッタボタン３６の操作が解除されていない場合には、ＣＰＵ２０
は、ステップＳ２１からステップＳ２３に進み、シャッタボタン３６が全押しさ
れたか否かを判断する。
【００３７】
ＣＰＵ２０は、シャッタボタン３６が全押しされるまで上述のステップＳ２１
の処理を繰り返し、シャッタボタン３６が全押しされたと判断すると、ステップ
Ｓ２３からステップＳ２５に進む。このステップＳ２５において、ＣＰＵ２０は
、上述したフラグＦに“１”がセットされているか否かを判断する。ここで、当
該フラグＦに“１”がセットされている場合、ＣＰＵ２０は、ステップＳ２７に
進み、垂直同期信号Ｖsyncの入力を待つ。
【００３８】
ステップＳ２７において垂直同期信号Ｖsyncが入力されると、ＣＰＵ２０は、
ステップＳ２９に進み、ストロボ４４の発光を伴わない記録処理を実行する。つ
まり、ＴＧ２２に対して１フレーム分の本露光および全画素読み出しを命令する
ととともに、信号処理回路２８に対して圧縮処理を命令する。そして、このステ
ップＳ２９の処理後、ＣＰＵ２２は、ステップＳ３１に進み、再び垂直同期信号
Ｖsyncの入力を待つ。
【００３９】
ステップＳ３１において垂直同期信号Ｖsyncが入力されると、ＣＰＵ２０は、
ステップＳ３３に進み、ストロボ４４の発光を伴う記録処理を実行する。つまり
、ＴＧ２２に対して１フレーム分の本露光および全画素読み出しを命令するとと
ともに、信号処理回路２８に対して圧縮処理を命令し、さらにストロボドライバ
４６に対してトリガ信号を供給する。このステップＳ３３の処理後、ＣＰＵ２０
は、連続撮影モードによる一連の撮影処理を終了する。
【００４０】
一方、ステップＳ２７においてフラグＦに“１”がセットされていない場合、
つまり当該フラグＦに“０”がセットされている場合、ＣＰＵ２０は、ステップ
Ｓ３５に進み、垂直同期信号Ｖsyncの入力を待つ。そして、垂直同期信号Ｖsync
が入力されると、ＣＰＵ２０は、ステップＳ３７に進み、ストロボ４４の発光を
伴わない記録処理を実行する。そして、このステップＳ３７の処理後、ＣＰＵ２
０は、当該連続撮影モードによる一連の撮影処理を終了する。
【００４１】
以上の説明から判るように、この実施例の連続撮影モードによれば、ストロボ
非発光撮影が行われた後、これに続いて自動的にストロボ発光撮影が行われる。
したがって、ストロボ４４を発光させるべきかどうかを迷う状況下でも、被写体
を良好に撮影することができる。
【００４２】
なお、ストロボ非発光撮影とストロボ発光撮影との順番が逆の場合、つまりス
トロボ発光撮影が行われた後にストロボ非発光撮影が行われた場合には、次のよ
うな不都合がある。すなわち、被写体が人間であるとすると、先に行われるスト
ロボ発光撮影において当該人間がストロボ４４の閃光の眩しさによって目を閉じ
てしまうことがある。そうなると、後に行われるストロボ非発光撮影において、
人間が目を閉じた状態で撮影されることになり、良好な撮影画像が得られない。
また、人間の習性として、ストロボ４４が発光することによって撮影行為が終了
したと認識する習性がある。よって、先にストロボ発光撮影が行われると、被写
体である人間は当該ストロボ発光撮影の終了によって撮影行為自体が終了したも
のと誤認識し、撮影ポーズを解いてしまう可能性がある。この場合も、後に行わ
れるストロボ非発光撮影において良好な撮影画像が得られない、という不都合が
ある。したがって、この実施例のように、ストロボ非発光撮影の後にストロボ発
光撮影が行われるようにした方が、良好な撮影画像を得ることができる。
【００４３】
さらに、この実施例によれば、ストロボ発光撮影を行った場合に露出過多とな
るのが明らかな場合には、当該ストロボ発光撮影は行われないので、かかる無意
味なストロボ発光撮影によって無駄に電力が消費されるのを防止でき、ひいては
バッテリ１００の寿命（ディジタルカメラ１０の動作時間）を伸ばすことができ
る。
【００４４】
なお、連続撮影モードによってストロボ非発光撮影とストロボ発光撮影が行わ
れた場合、２枚の画像（ＪＰＥＧ画像ファイル）がメモリカード４２に記録され
ることになる。しかし、ディジタルカメラ１０では、オペレータはメモリカード
４２に記録された画像を任意に消去することができ、つまり自分の気に入った画
像のみをメモリカード４２に残しておくことができるので、連続撮影モードの使
用によってメモリカード４２への画像の記憶可能枚数が制限されることはない。
【００４５】
この実施例では、ディジタルカメラ１０にこの発明を適用する場合について説
明したが、フィルム式のカメラにこの発明を適用してもよい。ただし、フィルム
式のカメラにおいては、フィルムに写された画像を消去することができないので
、連続撮影モードの使用によってフィルムの消費量が増大する。この点で、この
発明は、撮影された画像を任意に消去できるという特徴を持つディジタルカメラ
１０に極めて有効である。
【００４６】
また、この実施例では、最も輝度の低いブロックの輝度評価値Ｅyminに基づい
てストロボ非発光撮影の後にストロボ発光撮影を行うか否かを判断したが、これ
に限らない。たとえば、各ブロックの輝度評価値Ｅyの平均値や、画面の中央部
分に重点を置いた（重み付けを施した）輝度評価値Ｅyなどに基づいて、当該判
断を行ってもよい。また、判断基準となる閾値αについては、オペレータによっ
て任意に設定できるようにしてもよい。
【００４７】
なお、上述した自動発光モードにおいては、被写体像の全体の明るさに基づい
てストロボ４４を発光させるか否かの判断が成される。これに対して、連続撮影
モードでは、上述の如く最も輝度の低いブロックの輝度評価値Ｅyminに基づいて
ストロボ発光撮影を行うか否かの判断が成される。したがって、被写体全体の明
るさから見ると、多くの場合、自動発光モードにおいてストロボ４４を発光させ
るか否かを判断するときの判断基準よりも、連続撮影モードにおいてストロボ発
光撮影を行うか否かを判断するときの判断基準の方が高くなる。つまり、自動発
光モードではストロボ４４が発光しないような状況下でも、連続撮影モードにお
いてはストロボ発光撮影が行われる場合がある。
【００４８】
さらに、ストロボ発光撮影に先立って行われるストロボ非発光撮影においては
、連写可能としてもよい。すなわち、複数枚分のストロボ非発光撮影が行われた
後、１枚分のストロボ発光撮影が行われるようにしてもよい。また、自動段階露
光（ＡＥＢ：Automatic Exposure Bracketing）機能による複数枚分のストロボ
非発光撮影の後に、ストロボ発光撮影が行われるようにしてもよい。
【００４９】
そして、ストロボ発光撮影に適した最適露光期間および最適絞り値を設定する
ため、若しくは赤目軽減のために、当該ストロボ発光撮影に先立ってストロボ４
４を発光させるというプリ発光を行ってもよい。
【００５０】
また、ストロボ４４は、ディジタルカメラ１０の筐体に内蔵された内蔵型のも
のであってもよいし、外付け型のもの（外部ストロボ）であってもよい。
【００５１】
さらに、連続撮影モードにおいて、ストロボ４４を発光させなくても被写体を
良好に撮影できることが明らかなとき（つまり、輝度評価値Ｅyminが閾値αを上
回るとき）はストロボ発光撮影が行われないようにしたが、これに限らない。す
なわち、ストロボ非発光撮影が行われた後、被写体像の明るさに関係なく強制的
にストロボ発光撮影が行われるようにしてもよい。そして、このように強制的に
ストロボ発光撮影が行われるようにするか否かを、モードキー１８の操作によっ
て任意に選択できるようにしてもよい。
【００５２】
また、連続撮影モードでは、ストロボ非発光撮影によって生成されたＪＰＥＧ
画像ファイルがメモリカード４２に記録された後、ストロボ発光撮影が行われる
ようにしたが、これに限らない。たとえば、ストロボ非発光撮影およびストロボ
発光撮影を纏めて行い、これらの撮影によって生成された２枚分の画像ファイル
をたとえば図１の信号処理回路２８に設けられているバッファ２９に一時記憶し
ておき、撮影終了後に当該各画像ファイルをそのバッファ２９からメモリカード
４２に転送し記録するようにしてもよい。
【００５３】
また、この発明は、一定の条件下において、１回のレリーズ操作に応答して非
発光撮影と発光撮影とを少なくとも１回ずつ実行するものであるが、その撮影順
序は、実施例で説明した順序、すなわち非発光撮影の後に発光撮影を行う順次に
限られるものではなく、全く逆に発光撮影の後に非発光撮影が行われるようにし
てもよい。
【００５４】
さらに、外部記録媒体としては、実施例に示した「メモリカード」と呼ばれる
媒体以外の任意の記憶または記録媒体が利用され得る。
【符号の説明】
【００５５】
１０…ディジタルカメラ
１６…イメージセンサ
１８…モードキー
２０…ＣＰＵ
３４…ＡＥ／ＡＦ評価回路
３６…シャッタボタン
４４…ストロボ
４６…ストロボドライバ
【図１】
0004911645.tif 000002
【図２】
0004911645.tif 000003
【図３】
0004911645.tif 000004
【図４】
0004911645.tif 000005